(57)【要約】【課題】  火災やガス漏れ等のイベント発生時の情報を常時表示させつつも操作性の良い操作表示画面を表示することのできる防災受信機を実現すること。【解決手段】  火災やガス漏れ等のイベントの発生が検知されてから復旧等によるイベントの終了が検知されるまでの間に、画面切替タブの指示操作がなされて警報画面以外の画面に切り替えられた場合に、警報データの種類に応じた警報ウィンドウ２００が表示画面上の所定の位置に表示される。そして、現在発生しているイベントの内容を示す警報データのうち、重要度の高い第１報目及び第２報目の警報データが、それぞれ第１地区窓２１２ａ、２１４ａ及び第２地区窓２１２ｂ、２１４ｂに表示される。【選択図】図４
2006155012.tif 000002
【特許請求の範囲】
【請求項１】
火災及びガス漏れの少なくとも何れか一方に関するイベントの発生が検知された場合に、表示部の表示画面を警報画面に切り替えて、発生したイベントの内容を報知する防災システムの防災受信機において、
前記イベントの発生が検知され、終了が検知されるまでの間、表示画面を前記警報画面から他の画面へ切り替えるための操作入力を検出する他画面切替検出手段と、
前記他画面切替検出手段により他画面への切り替え操作入力が検出された場合に、前記表示部の表示画面を当該他画面へ切り替えるとともに、現在発生している前記イベントの内容を明示した警報ウィンドウを、当該他画面上の所定位置に重畳表示する制御を行う警報ウィンドウ重畳表示制御手段と、
を備えることを特徴とする防災受信機。
【請求項２】
前記警報ウィンドウ重畳表示制御手段は、前記表示部の表示画面の四隅それぞれ寄りに予め定められた４つの表示位置のうち、何れかの表示位置に前記警報ウィンドウを重畳表示することを特徴とする請求項１に記載の防災受信機。
【請求項３】
前記表示部は、タッチパネル方式の表示部であり、
前記警報ウィンドウは、前記４つの表示位置それぞれをタッチ操作により指示するための４つのボタンを当該ウィンドウ内の所定の位置に設けて有し、
前記警報ウィンドウ重畳表示制御手段は、前記警報ウィンドウの現在の表示位置に対応するボタンを選択不可形態とし、他のボタンを選択可能形態として識別表示して、選択可能形態のボタンが指示操作された場合に、指示操作されたボタンに対応する表示位置に前記警報ウィンドウを移動表示することを特徴とする請求項２に記載の防災受信機。
【請求項４】
前記警報ウィンドウ重畳表示制御手段は、前記４つのボタンそれぞれの上に、前記表示画面中における前記４つの表示位置の相対的な位置関係に従って、前記４つの表示位置それぞれを示すシンボルを配置し、当該ボタンに対応する表示位置を示すシンボルを他のシンボルと識別可能に表示することを特徴とする請求項３に記載の防災受信機。
【請求項５】
前記警報ウィンドウは、当該警報ウィンドウの消去をタッチ操作により指示するための消去ボタンを当該ウィンドウ内の所定の位置に設けて有し、
前記警報ウィンドウ重畳表示制御手段は、現在発生しているイベントが有る場合に前記消去ウィンドウを選択不可形態とし、イベントの発生が無い場合に選択可能形態として識別表示し、
選択可能形態とした前記消去ボタンが指示操作された場合に、前記警報ウィンドウを消去する消去手段を備えることを特徴とする請求項３又は４に記載の防災受信機。
【請求項６】
前記警報ウィンドウとして、火災及びガス漏れそれぞれに関するイベントの内容を明示するための第１サイズの第１ウィンドウと、火災に関するイベントの内容を明示するための第１サイズよりも小さい第２サイズの第２ウィンドウと、ガス漏れに関するイベントの内容を明示するための第１サイズよりも小さい第３サイズの第３ウィンドウとが有り、前記警報ウィンドウ重畳表示制御手段は、前記第１〜第３ウィンドウのうち現在発生しているイベントの内容に応じたウィンドウで前記警報ウィンドウを表示することを特徴とする請求項１〜５の何れか一項に記載の防災受信機。
【請求項７】
前記警報ウィンドウは、現在発生しているイベントのうち、第１報及び第２報の内容を表示するウィンドウであることを特徴とする請求項６に記載の防災受信機。
【発明の詳細な説明】
【技術分野】
【０００１】
本発明は、火災及びガス漏れの少なくとも何れか一方に関するイベントの発生が検知された場合に、表示部の表示画面を警報画面に切り替えて、発生したイベントの内容を報知する防災システムの防災受信機に関する。
【背景技術】
【０００２】
従来、防災受信機は、火災やガス漏れ等の異常状態発生時に、発生場所に設置された感知器により報知される異常状態を検出し、感知器から直接、あるいは中継器を介して送信される発報信号を受信して、防災システムの管理作業者にイベントの発生を知らせる。イベントとは、防災システムの管理作業者が察知すべき異常状態のことである。また、防災受信機は、イベントの発生による異常状態を正常状態へ復旧させる作業を支援する役割を担っている。そのため、イベント発生の情報を防災システムの管理作業者に確実に知らせるとともに、イベント発生等の緊急時においても、作業者が間違いなく操作できるように、分かり易い操作表示を行うことが必要である。
【０００３】
そこで、各種操作の関連性に基づいて操作メニューを階層表示する防災受信機が考案されている（例えば、特許文献１参照）。また、防災システムが備える各端末機器の位置を表示し、端末機器からの発報信号に応じて該端末機器の位置に異常状態であることを表示するとともに、異常状態を示す端末機器の表示部分を避けて、緊急時に作業を支援する情報をウィンドウ表示する技術が知られている（例えば、特許文献２参照）。
【特許文献１】特開２００２−２２２４７１号公報
【特許文献２】特開平５−４０８９０号公報
【発明の開示】
【発明が解決しようとする課題】
【０００４】
しかしながら、特許文献１の技術は、操作性の点で一定の効果があるものの、現在発生しているイベントの警戒区域が常に表示されるものではないため、警戒区域に係るイベント発生の情報を別途表示する７セグメントLED（発光ダイオード）等が必要であった。また、特許文献２の技術では、ウィンドウの表示位置が、その時々によって異なる。そのため、イベント発生等の緊急時に、ウィンドウの表示位置を目で追って探す必要があり使い勝手が悪いという問題があった。
【０００５】
以上の問題に鑑み、本発明の目的とするところは、火災やガス漏れ等のイベント発生時の情報を常時表示させつつも操作性の良い操作表示画面を表示することのできる防災受信機を実現することである。
【課題を解決するための手段】
【０００６】
以上の課題を解決するため、請求項１に記載の発明は、
火災及びガス漏れの少なくとも何れか一方に関するイベントの発生が検知された場合に、表示部の表示画面を警報画面に切り替えて、発生したイベントの内容を報知する防災システムの防災受信機において（例えば、図１の防災システム１、図２の防災受信機１０、図３の警報画面１００）、
前記イベントの発生が検知され、終了が検知されるまでの間、表示画面を前記警報画面から他の画面へ切り替えるための操作入力を検出する他画面切替検出手段（例えば、図２のＣＰＵ２０；図７のステップ３０Ａ、図３の画面切替タブ１０６）と、
前記他画面切替検出手段により他画面への切り替え操作入力が検出された場合に、前記表示部の表示画面を当該他画面へ切り替えるとともに、現在発生している前記イベントの内容を明示した警報ウィンドウ（例えば、図４の警報ウィンドウ２００ａ、２００ｂ、２００ｃ）を、当該他画面上の所定位置に重畳表示する制御を行う警報ウィンドウ重畳表示制御手段（例えば、図２のＣＰＵ２０；図７のステップ４２Ａ）と、
を備えることを特徴とする。
【０００７】
請求項１に記載の発明によれば、イベント発生を検知してその終了を検知するまでの間に、警報画面以外の画面へ切り替える操作入力が検出された場合に、発生しているイベントの内容を明示した警報ウィンドウを切り替えた画面の上に重ねて表示する。これにより、作業者は、現在発生しているイベントの内容を常時監視しながら、警報画面以外の画面を表示させて作業を行うことができる。
【０００８】
請求項２に記載の発明は、請求項１に記載の防災受信機において、
前記警報ウィンドウ重畳表示制御手段は、前記表示部の表示画面の四隅それぞれ寄りに予め定められた４つの表示位置（例えば、図５の位置５２ａ〜５８ａ、５２ｂ〜５８ｂ）のうち、何れかの表示位置に前記警報ウィンドウを重畳表示することを特徴とする。
【０００９】
請求項２に記載の発明によれば、警報ウィンドウが表示される位置は、表示画面の四隅それぞれ寄りの予め定められた４つの表示位置の何れかである。これにより、緊急時においても、警報ウィンドウを迅速に視認することができる。
【００１０】
請求項３に記載の発明は、請求項２に記載の防災受信機において、
前記表示部は、タッチパネル方式の表示部であり、
前記警報ウィンドウは、前記４つの表示位置それぞれをタッチ操作により指示するための４つのボタン（例えば、図４の位置選択ボタン２０２ａ〜２０８ａ、２０２ｂ〜２０８ｂ、２０２ｃ〜２０８ｃ）を当該ウィンドウ内の所定の位置に設けて有し、
前記警報ウィンドウ重畳表示制御手段は、前記警報ウィンドウの現在の表示位置に対応するボタンを選択不可形態とし、他のボタンを選択可能形態として識別表示して、選択可能形態のボタンが指示操作された場合に、指示操作されたボタンに対応する表示位置に前記警報ウィンドウを移動表示する（例えば、図６のステップ８Ａ；Ｙｅｓ〜１２Ａ）ことを特徴とする。
【００１１】
請求項３に記載の発明によれば、警報ウィンドウの表示位置の移動を指示する４つのボタンが該ウィンドウ内の所定の位置に設けられている。そして、各ボタンは４つの表示位置に対応付けられており、現在の表示位置に対応付けられているボタンの表示形態を選択不可形態とし、他の３つのボタンの表示形態を選択可能形態として、指示操作が可能か否かを示す。これにより、作業者が、一見して現在の警報ウィンドウの表示位置を把握できるとともに、表示位置を選択する指示操作を行う際に、選択可能であるボタンを瞬時に、確実に把握することができる。
【００１２】
請求項４に記載の発明は、請求項３に記載の防災受信機において、
前記警報ウィンドウ重畳表示制御手段は、前記４つのボタンそれぞれの上に、前記表示画面中における前記４つの表示位置の相対的な位置関係に従って、前記４つの表示位置それぞれを示すシンボルを配置し、当該ボタンに対応する表示位置を示すシンボルを他のシンボルと識別可能に表示する（例えば、図４の位置選択ボタン２０２ａ〜２０８ａ、２０２ｂ〜２０８ｂ、２０２ｃ〜２０８ｃ）ことを特徴とする。
【００１３】
請求項４に記載の発明によれば、ボタンの上に４つの表示位置をそれぞれ示すシンボルを配置して、該ボタンに対応する表示位置を示すシンボルを他の表示位置を示すシンボルから識別可能に表示する。これにより、作業者は、警報ウィンドウの表示位置の移動を指示する指示操作を行う際に、各ボタンに対応付けられている表示位置を容易に把握し、簡単に操作することができるようになる。
【００１４】
請求項５に記載の発明は、請求項３又は４に記載の防災受信機において、
前記警報ウィンドウは、当該警報ウィンドウの消去をタッチ操作により指示するための消去ボタン（例えば、図４のウィンドウ消去ボタン２１６ａ、２１６ｂ、２１６ｃ）を当該ウィンドウ内の所定の位置に設けて有し、
前記警報ウィンドウ重畳表示制御手段は、現在発生しているイベントが有る場合に前記消去ボタンを選択不可形態とし、イベントの発生が無い場合に選択可能形態として識別表示し（例えば、図６のステップ２０Ａ、図７のステップ４６Ａ）、
選択可能形態とした前記消去ボタンが指示操作された場合に、前記警報ウィンドウを消去する消去手段（例えば、図２のＣＰＵ２０；図６のステップ２４Ａ）を備えることを特徴とする。
【００１５】
請求項５に記載の発明によれば、警報ウィンドウの消去を指示操作するためのウィンドウ消去ボタンは、現在発生しているイベントが無い場合にのみ指示操作可能とされ、現在発生しているイベントが有る場合とは異なった表示形態で識別可能に表示される。これにより、警報ウィンドウが不必要となったときには該ウィンドウを消去して警報ウィンドウの下となって隠されていた画面全体を表示させることができる。
【００１６】
請求項６に記載の発明は、請求項１〜５の何れか一項に記載の防災受信機において、
前記警報ウィンドウとして、火災及びガス漏れそれぞれに関するイベントの内容を明示するための第１サイズの第１ウィンドウ（例えば、図４の警報ウィンドウ２００ａ）と、火災に関するイベントの内容を明示するための第１サイズよりも小さい第２サイズの第２ウィンドウ（例えば、図４の警報ウィンドウ２００ｂ）と、ガス漏れに関するイベントの内容を明示するための第１サイズよりも小さい第３サイズの第３ウィンドウ（例えば、図４の警報ウィンドウ２００ｃ）とが有り、前記警報ウィンドウ重畳表示制御手段は、前記第１〜第３ウィンドウのうち現在発生しているイベントの内容に応じたウィンドウで前記警報ウィンドウを表示することを特徴とする。
【００１７】
請求項６に記載の発明によれば、発生しているイベントの内容に応じた警報ウィンドウを表示する。そして、発生しているイベントの内容が火災及びガス漏れの何れか一方である場合には、火災及びガス漏れの両方である場合に表示される第１ウィンドウよりもサイズの小さい第２ウィンドウあるいは第３ウィンドウで警報ウィンドウが表示される。これにより、作業者が現在発生しているイベントの種類を容易に把握できるとともに、警報ウィンドウの下となって隠されてしまう画面部分をできるだけ小さくできる。
【００１８】
請求項７に記載の発明は、請求項６に記載の防災受信機において、
前記警報ウィンドウは、現在発生しているイベントのうち、第１報及び第２報の内容を表示するウィンドウ（例えば、図４の警報データ表示部２１０ａ、２１０ｂ、２１０ｃ、第１地区窓２１２ａ、２１４ａ、第２地区窓２１２ｂ、２１４ｂ）であることを特徴とする。
【００１９】
請求項７に記載の発明によれば、警報ウィンドウには、現在発生しているイベントのうち、第１報及び第２報の内容を表示させる。これにより、作業者は、重要度の高い第１報及び第２報の内容を常時監視しながら、警報画面以外の画面を表示させて作業を行うことができる。
【発明の効果】
【００２０】
本発明によれば、火災やガス漏れ等のイベント発生時の情報を常時表示させつつも操作性の良い操作表示画面を表示することができる。
【発明を実施するための最良の形態】
【００２１】
本発明の実施形態について、図面を参照しながら以下に説明する。図１は、本発明の防災受信機を適用した一例である防災システム１の概略構成を示している。図１によれば、防災システム１は、防災受信機１０、各種端末器３を接続した中継器２及び火災表示装置４等を備えたR型システムとして構成される。なお、R型システムでは、例えばアナログ感知器のように中継器を介さずに防災受信機と直接通信可能な端末器もある。また、感知器中継器、発信機中継器、防排煙端末中継器のように端末機器一つに対して一つの中継器が対応して接続されることも周知である。ただし、本実施形態では、説明を簡単にするため、防災受信機は、端末器から中継器を介して送信される発報信号を受信し、端末器や発生区域のイベントに関する所定情報を把握できることとする。
【００２２】
中継器２に接続される各種端末器３としては、火災感知器３ａ、ガス漏れ検知器３ｂ、防火戸や防火シャッタ等の防排煙設備機器３ｃ（防排煙端末器）、地区ベル３ｄ等が挙げられる。火災表示装置４は、防災受信機１０とは離れた場所に設置され、火災発生時等の異常発生時に所定の情報を表示する。なお、図１には中継器２を２つのみ図示しているが、３つ以上の中継器２が接続される構成としてもよい。
【００２３】
防災受信機１０は、防災システム１を統括的に制御する役割を果たす。具体的には、各種端末器３からの報知に伴い中継器２から送信されてくる発報信号を受信することにより、火災やガス漏れ等のイベントの発生を検知して、この発生しているイベントの内容を示す警報データ等を表示する。また、防災システム１の管理作業者による指示操作等を受けて防排煙設備機器３ｃや地区ベル３ｄ等を駆動制御する。以下に、防災受信機１０の構成について図２を参照しながら説明する。
【００２４】
図２は、防災受信機１０の構成を示している。図２によれば、防災受信機１０は、ＣＰＵ（Central Processing Unit）２０、ＲＡＭ（Random Access Memory）２２、ＲＯＭ（Read Only Memory）２６、表示部３２、操作入力部３４、印字部３６を備えて構成されている。また、表示部３２、操作入力部３４及び印字部３６は、それぞれインタフェース（Ｉ／Ｆ）３０ｃ、３０ｄ、３０ｅを介してＣＰＵ２０に接続される。なお、防災受信機１０は、インタフェース（Ｉ／Ｆ）３０ａ、３０ｂを介して中継器２及び火災表示装置４と接続しており、火災やガス漏れ等のイベント発生時に中継器２から送信されてくる発報信号の受信やそれにともなう火災表示装置４への警報データの送信等を行っている。
【００２５】
表示部３２は、タッチパネル式の液晶ディスプレイ（ＬＣＤ）等から構成され、各種機能及び警報データを表示するとともに、所定機能の表示をタッチ操作することによって、その機能が選択されて、この機能に対応する操作画面を表示させることができる。具体的には、図３に示した警報画面１００や図４に示した警報ウィンドウ２００等を表示する。操作入力部３４は、連動停止や火災復旧等の各種指示操作を行うためのスイッチやボタンからなる。印字部３６は、印字出力を行うものである。
【００２６】
ＣＰＵ２０は、バス３８で接続された各部を統括的に制御するとともに、図３に示した警報画面１００及び図４に示した警報ウィンドウ２００の表示制御処理を行う。この表示制御処理の詳細については後述する。
【００２７】
ＲＡＭ２２は、読み書き両用の記憶媒体であり、電源がオンになっている間だけ書込まれたデータを保持する。ＲＡＭ２２には、蓄積警報データ２４が格納されている。蓄積警報データ２４は、火災やガス漏れ等のイベントの発生時における各種端末器３からの報知にともなって中継器２から送信されてきた発報信号を受信して、この受信した発報信号に含まれるイベントの内容を示す警報データを逐次的に蓄積したものである。ＲＯＭ２６は、読み取り専用の記憶媒体であり、電源のオンとオフに関りなく既に書込まれたデータを半永久的に記憶する。ＲＯＭ２６には、表示位置データ２８が記憶されている。表示位置データ２８は、表示画面に重ねて表示される警報ウィンドウ２００の位置のデータであり、この表示位置の詳細については後述する。
【００２８】
次に、防災受信機１０が中継器２から発報信号を受信した場合に表示する警報画面について、図３を参照しながら説明する。
【００２９】
図３は、表示部３２に表示された警報画面１００の一例を示す図である。警報画面１００は、画面タイトル１０２、データ表示部１０４及び画面切替タブ１０６を備えて構成されている。画面タイトル１０２は、警報画面１００の最上部に表示され、表示部３２に表示されている画面が警報画面である旨が表示される。
【００３０】
データ表示部１０４は、火災警報データ部１０４ａ、防排煙・諸表示データ部１０４ｂ及びガス漏れ警報データ部１０４ｃから構成され、警報データを種類毎に表示する。具体的には、火災警報データ部１０４ａには火災警報データ、防排煙・諸表示データ部１０４ｂには防排煙・諸表示データ、ガス漏れ警報データ部１０４ｃにはガス漏れ警報データが表示される。各データ表示部１０４ａ、１０４ｂ、１０４ｃが一度に表示できる警報データは、それぞれ３件までである。各データ表示部１０４ａ、１０４ｂ、１０４ｃの右端には、それぞれ上方向スクロールボタン１０８ａ−１、１０８ｂ−１、１０８ｃ−１と、下方向スクロールボタン１０８ａ−２、１０８ｂ−２、１０８ｃ−２とが設けられている。警報データが４件以上となった場合には、例えば、防排煙・諸表示データ１０４ｂのスクロールボタン１０８ｂ−２のように表示形態を変えることによって、４件以上の警報データがあることが示される。また、表示形態を変えて指示操作可能となっているスクロールボタンに対するタッチ操作がなされると、対応するスクロール方向にスクロールされて非表示となっていた警報データを含めた３件の警報データが表示される。
【００３１】
画面切替タブ１０６は、表示部３２に表示する画面を切り替えるためのいわゆるタブであり、警報画面１００の最下部に表示されている。具体的には、各画面切替タブ１０６ａ〜１０６ｆに対するタッチ操作がなされると、対応する画面が表示部３２に表示される。例えば、同図に示す状態において画面切替タブ１０６ｃに対するタッチ操作がなされた場合には、表示部３２に現在表示されている警報画面１００から画面３に切り替える。
【００３２】
但し、警報画面１００に警報データが表示されている際に画面切替タブ１０６に対するタッチ操作がなされた場合には、本実施形態の特徴の１つである警報ウィンドウ２００が、切り替わった画面の上に重ねて表示されることとなる。図４及び図５を参照して、警報ウィンドウ２００について説明する。
【００３３】
警報ウィンドウ２００には、火災及びガス漏れ警報ウィンドウ２００ａと、火災警報ウィンドウ２００ｂと、ガス漏れ警報ウィンドウ２００ｃとの３つの種類がある。火災やガス漏れ等の発生したイベントに応じて防災受信機１０が取得した警報データに応じて、表示されるウィンドウが適宜に選択されて表示される。例えば、現時点で、警報データとして火災とガス漏れの両方が存在する場合には、火災及びガス漏れ警報ウィンドウ２００ａが表示される。その後、例えば、ガス漏れが復旧して、ガス漏れの警報データが削除された時は、火災警報ウィンドウ２００ｂに切り替えて表示される。一方、火災が復旧して警報データがガス漏れのみになった時には、ガス漏れ警報ウィンドウ２００ｃが表示される。
【００３４】
まず、火災及びガス漏れ警報ウィンドウ２００ａの構成及び表示画面上の表示位置について説明する。
【００３５】
図４（ａ）は、火災及びガス漏れ警報ウィンドウ２００ａの一例を示す図である。火災及びガス漏れ警報ウィンドウ２００ａは、位置選択ボタン２０２ａ〜２０８ａ、警報データ表示部２１０ａ及びウィンドウ消去ボタン２１６ａから構成される。
【００３６】
位置選択ボタン２０２ａ〜２０８ａは、それぞれが矩形のボタンであり、火災及びガス漏れ警報ウィンドウ２００ａの上部右寄りの所定の位置に横一列に並んで表示されている。各ボタンの上には、火災及びガス漏れ警報ウィンドウ２００ａが表示される表示画面上の予め定められた４つの位置をシンボルとして表した図が表示されている。この４つの位置は、それぞれ火災及びガス漏れ警報ウィンドウ２００ａが表示可能な４つの表示位置に対応している。
【００３７】
図５（ａ）は、火災及びガス漏れ警報ウィンドウ２００ａが表示される表示画面上の４つの位置５２ａ〜５８ａを説明するための図である。位置５２ａ〜５８ａは、それぞれ表示画面の四隅寄りの位置として定められている。位置５２ａは表示画面の左下隅寄りの位置、位置５４ａは表示画面の左上隅寄りの位置、位置５６ａは表示画面の右上隅寄りの位置、位置５８ａは表示画面の右下隅寄りの位置である。位置選択ボタン２０２ａ〜２０８ａと位置５２ａ〜５８ａとは、１対１で対応付けられている。具体的には、位置選択ボタン２０２ａは位置５２ａに、位置選択ボタン２０４ａは位置５４ａに、位置選択ボタン２０６ａは位置５６ａに、位置選択ボタン２０８ａは位置５８ａに、対応付けられている。
【００３８】
各ボタン上に表示されている４つのシンボルは、位置５２ａ〜５８ａの表示画面における相対的な位置関係に従って配置されている。ボタンに対応付けられた表示画面上の位置に対応するシンボルは、表示形態を変えて他の３つのシンボルと識別可能に表示される。具体的には、位置選択ボタン２０２ａのシンボル２２２ａ、位置選択ボタン２０４ａのシンボル２２４ａ、位置選択ボタン２０６ａのシンボル２２６ａ及び位置選択ボタン２０８ａのシンボル２２８ａの表示形態はシンボル内が塗りつぶされており、他のシンボルの表示形態と異なるように表示されている。
【００３９】
また、位置選択ボタン２０６ａは、他の位置選択ボタン２０２ａ、２０４ａ、２０８ａより淡い色で、異なった表示形態で識別可能に表示されている。これは、位置選択ボタン２０６ａが選択されており、このボタンを選択操作できない状態（以下、適宜「選択不可状態」という。）であることを示している。すなわち、火災及びガス漏れ警報ウィンドウ２００ａが位置選択ボタン２０６ａに対応する位置である位置５６ａに表示されていることを示している。一方、他の位置選択ボタン２０２ａ、２０４ａ、２０８ａの表示形態は、これらのボタンを選択操作できる状態（以下、適宜「選択可能状態」という）であることを示している。
【００４０】
警報データ表示部２１０ａは、火災及びガス漏れ警報ウィンドウ２００ａの中央部に表示され、火災地区表示部２１２とガス漏れ地区表示部２１４とを備えている。火災地区表示部２１２は、第１地区窓２１２ａ及び第２地区窓２１２ｂから構成され、第１地区窓２１２ａには火災の第１報目に当たる警報データが表示され、第２地区窓２１２ｂには火災の第２報目に当たる警報データが表示される。ガス漏れ地区表示部２１４は、火災地区表示部２１２と同じ構成であり、第１地区窓２１４ａにはガス漏れの第１報目に当たる警報データが表示され、第２地区窓２１４ｂにはガス漏れの第２報目に当たる警報データが表示される。なお、この火災地区表示部２１２には図３の火災警報データ部１０４ａに表示される火災に関して発生したイベント、ガス漏れ地区表示部２１４には図３のガス漏れ警報データ部１０４ｃに表示されるガス漏れに関して発生したイベント、とそれぞれ同じ内容が表示されている。
【００４１】
ウィンドウ消去ボタン２１６ａは、火災及びガス漏れ警報ウィンドウ２００ａの上部左端の所定の位置に表示されている。ウィンドウ消去ボタン２１６ａは、選択不可状態か選択可能状態かに応じて異なる形態で表示される。警報データ表示部２１０ａに警報データがある場合には、ウィンドウ消去ボタン２１６ａは選択不可状態として淡い色で表示される。一方、警報データ表示部２１０ａに警報データがない場合には、ウィンドウ消去ボタン２１６ａは選択可能状態として濃い色で表示される。すなわち、現在表示されている警報データが全て復旧されて新たなイベントの発生が検知されていない場合にのみ、ウィンドウ消去ボタン２１６ａが指示操作可能となる。ウィンドウ消去ボタン２１６ａの指示操作がなされると、火災及びガス漏れ警報ウィンドウ２００ａの表示が消去される。
【００４２】
次に、火災警報ウィンドウ２００ｂの構成について説明する。
【００４３】
図４（ｂ）は、火災警報ウィンドウ２００ｂの一例を示す図である。火災警報ウィンドウ２００ｂは、火災及びガス漏れ警報ウィンドウ２００ａと同様に、位置選択ボタン２０２ｂ〜２０８ｂ、警報データ表示部２１０ｂ及びウィンドウ消去ボタン２１６ｂから構成されている。火災及びガス漏れ警報ウィンドウ２００ａと異なるのは、警報データ表示部２１０ｂが火災地区表示部２１２のみを備えている点である。火災警報ウィンドウ２００ｂは、ガス漏れ地区表示部２１４が無い分、火災及びガス漏れ警報ウィンドウ２００ａよりもサイズが小さくなっている。
【００４４】
次に、ガス漏れ警報ウィンドウ２００ｃの構成について説明する。
【００４５】
図４（ｃ）は、ガス漏れ警報ウィンドウ２００ｃの一例を示す図である。ガス漏れ警報ウィンドウ２００ｃは、火災警報ウィンドウ２００ｂと同様に、位置選択ボタン２０２ｃ〜２０８ｃ、警報データ表示部２１０ｃ及びウィンドウ消去ボタン２１６ｃから構成されている。火災警報ウィンドウ２００ｂと異なるのは、警報データ表示部２１０ｃがガス漏れ地区表示部２１４のみを備えている点である。また、ガス漏れ警報ウィンドウ２００ｃは、火災警報ウィンドウ２００ｂと同じサイズである。
【００４６】
次に、火災警報ウィンドウ２００ｂとガス漏れ警報ウィンドウ２００ｃとの表示位置について説明する。
【００４７】
図５（ｂ）は、火災警報ウィンドウ２００ｂ又はガス漏れ警報ウィンドウ２００ｃが表示される場合の位置５２ｂ〜５８ｂを説明するための図である。位置５２ｂ〜５８ｂは、図５（ａ）の位置５２ａ〜５８ａと同様に、表示画面上の各四隅寄りである、左下隅、左上隅、右上隅、右下隅をそれぞれ示している。位置５２ａ〜５８ａと異なるのは、位置５２ｂ〜５８ｂの方が、より四隅寄りとなっている点である。これは、火災及びガス漏れ警報ウィンドウ２００ａに比べて、火災警報ウィンドウ２００ｂ及びガス漏れ警報ウィンドウ２００ｃのサイズが小さいためである。
【００４８】
次に、ＣＰＵ２０が統括的に制御することで実行される表示制御処理の動作について、図６及び図７を参照しながら詳細に説明する。
【００４９】
図６及び図７は、表示制御処理のフローチャートを示す図である。まずＣＰＵ２０は、中継器２から発報信号が送信されてくるか否かを監視することでイベント発生を監視する（ステップ２Ａ）。そして、発報信号を受信した場合にイベントの発生を検知して（ステップ２Ａ；Ｙｅｓ）、受信された発報信号に含まれるイベントの内容を示す警報データをＲＡＭ２２の蓄積警報データ２４に追加格納する（ステップ４Ａ）。
【００５０】
次いで、ＣＰＵ２０は、表示部３２に警報ウィンドウ２００が表示されているか否かを判定する（ステップ６Ａ）。警報ウィンドウ２００が表示されている場合には（ステップ６Ａ；Ｙｅｓ）、ＣＰＵ２０は、位置選択ボタン２０２〜２０８の操作による警報ウィンドウ２００の表示位置を変更させる指示操作がなされるか否かを監視する（ステップ８Ａ）。位置選択ボタン２０２〜２０８の操作による警報ウィンドウ２００の表示位置を変更させることを示す操作入力が検出された場合には（ステップ８Ａ；Ｙｅｓ）、指示操作されたボタンに対応付けられた表示位置に警報ウィンドウ２００の表示を移動させる（ステップ１０Ａ）とともに、警報ウィンドウ２００の移動先の位置に対応するボタンを選択不可形態とし、他の３つのボタンを選択可能形態として表示させる（ステップ１２Ａ）。
【００５１】
ステップ８Ａで表示位置の変更操作を検出しなかった場合、或いはステップ１２Ａの処理の後、ＣＰＵ２０は、現在発生しているイベントのうち、復旧等によって通常監視状態に戻ったイベントが有るか否か、すなわち、終了したイベントが有るか否かを判定する（ステップ１４Ａ）。終了したイベントが有ると判定した場合には（ステップ１４Ａ；Ｙｅｓ）、ＣＰＵ２０は、この終了したイベントに対応する警報データを蓄積警報データ２４から削除するとともに警報ウィンドウ２００から削除させる（スッテプ１６Ａ）。この時、警報ウィンドウ２００に表示すべき警報データが無くなった場合には（ステップ１８Ａ；Ｙｅｓ）、ウィンドウ消去ボタン２１６を選択可能形態に変更して表示させる（ステップ２０Ａ）。選択可能形態のウィンドウ消去ボタン２１６の操作入力が検出された場合には（ステップ２２Ａ；Ｙｅｓ）、ＣＰＵ２０は、表示部３２から警報ウィンドウ２００を消去させる（ステップ２４Ａ）。
【００５２】
ステップ６Ａにおいて表示部３２に警報ウィンドウ２００が表示されていないと判定した場合、ステップ２２Ａにおいてウィンドウ消去ボタン２１６の操作入力が検出されなかった場合、或いはステップ２４Ａの処理後、ＣＰＵ２０は、画面切替タブ１０６に対する指示操作がなされたか否かを判定する（ステップ３０Ａ）。画面切替タブ１０６に対する操作入力が検出された場合には（ステップ３０Ａ；Ｙｅｓ）、この操作入力が警報画面への切り替え指示であるか否かを判定する（ステップ３２Ａ）。警報画面への切り替え指示である場合には（ステップ３２Ａ；Ｙｅｓ）、この時に警報ウィンドウ２００が表示されているか否かを判定し、表示されている場合には（ステップ３４Ａ；Ｙｅｓ）、ＣＰＵ２０は、表示部３２に警報ウィンドウ２００の表示を消去させる（ステップ３６Ａ）。その後、警報ウィンドウ２００が表示されていない場合（ステップ３４Ａ；Ｎｏ）も含めて、表示部３２の表示画面を警報画面へ切り替えさせる（ステップ３８Ａ）。
【００５３】
一方、画面切替タブ１０６の操作入力が警報画面以外の画面への切り替え指示であった場合には（ステップ３２Ａ；Ｎｏ）、ＣＰＵ２０は、表示部３２に表示する画面を操作入力に応じた画面へ切り替えさせる（ステップ４０Ａ）。そして、切り替えた画面上に重ねて、予め定められている所定の表示位置に警報ウィンドウ２００を表示させる（ステップ４２Ａ）。また、位置選択ボタン２０２〜２０８のうち、この警報ウィンドウ２００が表示されている現在位置に対応するボタンを選択不可形態、その他３つのボタンを選択可能形態として表示させる（ステップ４４Ａ）とともに、ウィンドウ消去ボタン２０６を選択不可形態として表示させる（ステップ４６Ａ）。
【００５４】
ステップ３０Ａにおいて画面切替タブ１０６に対する指示操作がなされなかった場合、ステップ３８Ａの処理の後、或いはステップ４６Ａの処理の後、ＣＰＵ２０はステップ２Ａに処理を移行して、ステップ２Ａ〜４６Ａの処理を繰り返し実行する。
【００５５】
以上のように、本実施形態の防災受信機１０によれば、表示部３２の表示画面が警報画面１００となっており、警報データ表示部２１０に警報データが表示されている時に、画面切り替えの指示操作がなされた場合には、表示画面が指示された画面に切り替えられるとともに、当該画面上に警報ウィンドウ２００が重ねて表示される。これにより、警報データを常時監視しながら、警報画面以外の画面を表示して作業を行うことができる。また、警報ウィンドウ２００が表示される位置は、画面の四隅寄りであり、所定の位置である。従って、警報ウィンドウ２００の表示位置が自動的に変化するといったことがなく、緊急時においても、警報ウィンドウ２００を迅速に視認することができる。
【００５６】
また、警報ウィンドウ２００上には、警報ウィンドウ２００の表示位置５２〜５８にそれぞれ対応する位置選択ボタン２０２〜２０８が設けられており、何れかのボタンが指示操作されると、該ボタンに対応する位置へ警報ウィンドウ２００の表示が移動される。さらに、位置選択ボタン２０２〜２０８のうち、警報ウィンドウ２００の現在の表示位置に対応するボタンの表示形態が選択不可状態とされ、他３つのボタンの表示形態が選択可能状態とされて、表示される。これにより、警報ウィンドウ２００が現在表示されている位置と、現在選択することのできる位置とを瞬時に、確実に把握することができる。
【００５７】
また、位置選択ボタン２０２〜２０８の上には、位置５２〜５８を表した４つのシンボルが表示されており、各ボタンに対応する警報ウィンドウ２００の表示位置を表すシンボルが他の３つのシンボルとは異なった表示形態で表示される。これにより、各ボタンに対応付けられている位置を直感的且つ簡単に分からしめ、操作性を向上させている。
【００５８】
また、表示すべき警報データがなくなった場合にのみ、警報ウィンドウ２００のウィンドウ消去ボタン２１６の表示形態が選択可能状態として表示される。これにより、警報データが存在する場合に警報ウィンドウ２００を誤って消去してしまうといったことを防止できる。また、警報データが存在しない場合には、警報ウィンドウ２００を消去して警報ウィンドウ２００の下となって隠されていた画面全体を表示することができる。
【００５９】
また、表示すべき警報データが火災及びガス漏れである場合には警報ウィンドウ２００として火災及びガス漏れ警報ウィンドウ２００ａが表示され、火災である場合には火災警報ウィンドウ２００ｂが表示され、ガス漏れである場合にはガス漏れ警報ウィンドウ２００ｃが表示される。なお、火災警報ウィンドウ２００ｂとガス漏れ警報ウィンドウ２００ｃは、火災及びガス漏れ警報ウィンドウ２００ａよりもサイズが小さい。これにより、現在発生しているイベントの種類を容易に把握できるとともに、警報ウィンドウ２００の下となって隠してしまう画面部分をできるだけ小さくできる。
【００６０】
また、現在発生しているイベントの内容を示す警報データのうち、重要度の高い第１報目及び第２報目の警報データが、それぞれ第１地区窓２１２ａ、２１４ａ及び第２地区窓２１２ｂ、２１４ｂに表示される。これにより、重要度の高い警報データを常時監視しながら、警報画面以外の画面を表示して作業を行うことができる。
【００６１】
従って、本実施形態の防災受信機１０は、火災やガス漏れ等のイベント発生時の情報を常時表示させつつも操作性の良い操作表示画面を表示することができる。
【００６２】
以上、本発明について好適な実施形態について説明したが、本発明は、上述したものに限らず、発明の趣旨を逸脱しない限りにおいて適宜変更可能である。例えば、本実施形態において、位置選択ボタン２０２〜２０８の表示位置を警報ウィンドウ２００の上部右寄りとして説明したが、これに限らず作業者が見易い警報ウィンドウ２００上の位置であれば他の位置であっても良い。その他、本実施形態における防災受信機１０の細部構成及び詳細動作に関しては、本発明の趣旨を逸脱しない範囲で適宜変更可能である。
【図面の簡単な説明】
【００６３】
【図１】防災システムの構成を示すブロック図である。
【図２】防災受信機の構成を示すブロック図である。
【図３】警報画面の一例を示す図である。
【図４】（ａ）火災及びガス漏れ警報ウィンドウの一例を示す図である。（ｂ）火災警報ウィンドウの一例を示す図である。（ｃ）ガス漏れ警報ウィンドウの一例を示す図である。
【図５】（ａ）火災及びガス漏れ警報ウィンドウの表示位置を示す図である。（ｂ）火災警報ウィンドウ又はガス漏れ警報ウィンドウの表示位置を示す図である。
【図６】表示画面の表示制御処理のフローチャートである。
【図７】図６のフローチャートの続きである。
【符号の説明】
【００６４】
１  防災システム
２  中継器
３  各種感知器
１０  防災受信機
２０  ＣＰＵ
２２  ＲＡＭ
２４  蓄積警報データ
２６  ＲＯＭ
２８  表示位置データ
３２  表示部
３４  操作入力部
１００  警報画面
１０４  データ表示部
１０６  画面切替タブ
２００  警報ウィンドウ
２０２、２０４、２０６、２０８  位置選択ボタン
２１０  警報データ表示部
２１６  ウィンドウ消去ボタン
【図１】
2006155012.tif 000003
【図２】
2006155012.tif 000004
【図３】
2006155012.tif 000005
【図４】
2006155012.tif 000006
【図５】
2006155012.tif 000007
【図６】
2006155012.tif 000008
【図７】
2006155012.tif 000009